(57)【要約】【課題】ディスク毎、ドライブ毎や温度等によるβ値の見え方のバラツキの影響を受けることがない、光ディスク装置およびその最適記録パワー決定方法を提供することを目的とする。【解決手段】記録可能な光ディスクへの本記録に先立って、光ディスクへ記録パワーを段階的に変化させてテスト記録するＳ１と、再生性能品位をあらわすパラメータの値を測定するＳ２とテスト記録するＳ１にて記録された領域を再生して得られた再生性能品位の値とを比較するＳ３と、比較するＳ３により基準記録パワーを決定するＳ４、Ｓ５と、基準記録パワーにて記録しその記録された値を記録パワー補正を行うための目標値に決定するＳ６と、目標値に近づくように記録パワーを補正するためのＳ６と、を備えたことを特徴とする。【選択図】図２
2009266263.tif 000002
【特許請求の範囲】
【請求項１】
記録可能なディスクへの本記録に先立って、
前記ディスクへ記録パワーを段階的に変化させてテスト記録するステップと、
再生性能品位をあらわすパラメータの値と前記テスト記録するステップにて記録された領域を再生して得られた再生性能品位の値とを比較するステップと、
前記比較するステップにより基準記録パワーを決定するステップと、
前記基準記録パワーにて記録しその記録された値を、記録パワー補正を行うための目標値に決定するステップと、
前記目標値に近づくように記録パワーを補正するためのステップと、
を備えたことを特徴とする最適記録パワー決定方法。
【請求項２】
前記目標値がβ値（アシンメトリ）であることを特徴とする請求項１記載の最適記録パワー決定方法。
【請求項３】
前記再生性能品位をあらわすパラメータが、
ＢＥＲ（Ｂｉｔ  Ｅｒｒｏｒ  Ｒａｔｅ）、ＢＬＥＲ（ＢＬｏｃｋ  Ｅｒｒｏｒ  Ｒａｔｅ）、ジッター、変調度、位相誤差、ＭＬＳＥ（Ｍａｘｉｍｕｍ  Ｌｉｋｅｌｉｈｏｏｄ  Ｓｅｑｕｅｎｔｉａｌ  Ｅｒｒｏｒ）、ＰＩＦ（Ｐａｒｉｔｙ  Ｉｎｎｅｒ  Ｆａｉｌｕｒｅ）のうち、いずれか１つであることを特徴とする請求項２記載の最適記録パワー決定方法。
【請求項４】
前記比較するステップでは、
前記再生性能をあらわすパラメータの値の任意の閾値を決め、前記テスト記録するステップにて記録された領域を再生して得られた再生性能品位の値が、前記閾値以下かどうかを比較することを特徴とする請求項３記載の最適記録パワー決定方法。
【請求項５】
前記基準記録パワーを決めるステップでは、
前記基準記録パワーが前記再生性能品位を満たす所定の範囲内の中間であることを特徴とする請求項４記載の最適記録パワー決定方法。
【請求項６】
前記基準記録パワーを決めるステップでは、
前記基準記録パワーが前記再生性能品位を満たす所定の範囲内において任意の比率で決定することを特徴とする請求項４記載の最適記録パワー決定方法。
【請求項７】
前記記録パワーを段階的に変化させてテスト記録するステップにおいて、
段階的に変化する前記記録パワーのステップ幅が可変であることを特徴とする請求項４記載の最適記録パワー決定方法。
【請求項８】
請求項１〜７の最適記録パワー決定方法を用いたことを特徴とする光ディスク装置。
【発明の詳細な説明】
【技術分野】
【０００１】
本発明は、光ディスク装置の分野でＣＤ系、ＤＶＤ系およびＢＤ等の光ディスクに対して記録する場合の光ディスク装置およびその最適記録パワー決定方法に関するものである。
【背景技術】
【０００２】
記録可能なディスクにて最適な記録パワーで記録を行うため、ＯＰＣ（Ｏｐｔｉｍｕｍ  Ｐｏｗｅｒ  Ｃｏｎｔｒｏｌ）をその光ディスクの最内周にあるＰＣＡ（Ｐｏｗｅｒ  Ｃａｌｉｂｒａｔｉｏｎ  Ａｒｅａ）領域を使用して実施していた。所定の記録速度にてレーザダイオード（ＬＤ）の記録パワーを段階的に変化させてテストデータを記録し、そのテストデータを再生した時の再生信号のβ値（アシンメトリ）を評価し、基準とする適当なβ値が得られた時の記録パワーをその記録速度での最適記録パワーとし、またそのβ値を基準として補正するようにしていた。
【特許文献１】特開２００２−３１２９３９号公報
【発明の開示】
【発明が解決しようとする課題】
【０００３】
しかしながら、従来の最適記録パワー決定方法では同一ディスクでも、あるドライブで得られたβ値が別ドライブで得るβ値と必ずしも同一ではなく、また仮に同一ドライブでもディスク毎に得るβ値は同一ではなく、ドライブ毎、ディスク毎により再生性能品位の基準となるβ値の見え方にバラツキがあった。あるドライブで得られたβ値を基準に記録ディスクに記録するための記録パワーを決定していたため、ディスク毎、ドライブ毎でばらついて見えるβ値では、再生性能品位のよい（正確な情報を再生できる）記録パワーを決定し記録を行うことが困難であった。従来の記録パワー決定方法を図６（ａ）、図６（ｂ）、図７を用いて簡単に説明する。図６（ａ）は従来のβ値測定量の補正のフローチャート、図６（ｂ）は従来の最適記録パワー決定方式のフローチャート、図７は従来の最適記録パワー決定方式を表す図である。図６（ａ）において、各ドライブ毎のβ値測定量を補正するため予めβ値がわかっているディスクを用いて調整しておく。まずドライブ毎にＳ１において予めβ値がわかっている（βｏとする）ディスクのβ値を測定する。次にＳ２においてβｏと実際に測定されたβ値との差分Δβ＝βｏ−βを算出する。このΔβ値を補正量として使用する。次に従来の記録パワー決定方法であるが、図６（ａ）においてβ値の補正が行われた上で図６（ｂ）の方法が行われるものとする。図６（ｂ）において、Ｓ１〜Ｓ６は記録パワー決定方法の各ステップを示す。図７において、横軸は記録パワー、縦軸はβ値を示す。まず、図６（ｂ）の学習開始後Ｓ１において、ＰＣＡ領域に適当な高パワー側から低いパワー側へ決められたパワーステップ毎に１０段階のパワーで１セクターずつランダムパターンにて記録していく。それが図７において横軸のＰ１〜Ｐ１０に相当するものとする。図６（ｂ）のＳ２において、１０箇所（Ｐ１〜Ｐ１０）のβ値を測定する。図７において、１０箇所それぞれにおいてのβ値は図上では○印の位置がそれに相当するものとする。図６（ｂ）のＳ３において、測定した１０箇所で５箇所移動平均を行う。図７において、βａ３〜βａ７に相当する。これら５箇所のうち図６（ｂ）のＳ４において、目標β値（βｏ）に近い３箇所を抽出する。図７では、βａ４〜βａ６とする。それで図６（ｂ）Ｓ５においてこれら３箇所での線形補間を行い、目標β値（βｏ）の時の記録パワーを算出し、記録パワーとして決定していた。
【０００４】
そこで、各ドライブを同一β値を基準に記録パワー補正するのではなく、再生性能品位を基準に各ドライブ毎の基準記録パワーおよびβ値を求め記録パワー補正を行うようにする。そうすることにより、特に高倍速記録において見られていたようなβ値のバラツキによる記録パワーのバラツキもなく、全ての記録エリアにおいて安定した記録ができるようになり、その記録されたデータの再生性能もよい品位を保つことができ、ディスク毎ドライブ毎のバラツキや温度によるバラツキ等の影響を受けることがない、ドライブ毎の最適記録パワー決定方法を提供することを目的とする。
【課題を解決するための手段】
【０００５】
本発明は上記課題を解決するためになされたもので、記録可能なディスクへの本記録に先立って、ディスクへ記録パワーを段階的に変化させてテスト記録するステップと、再生性能品位をあらわすパラメータの値とテスト記録するステップにて記録された領域を再生して得られた再生性能品位の値とを比較するステップと、比較するステップにより基準記録パワーを決定するステップと、基準記録パワーにて記録しその記録された値を、記録パワー補正を行うための目標値に決定するステップと、目標値に近づくように記録パワーを補正するためのステップと、を備えたことを特徴とする光ディスク装置およびその最適記録パワー決定方法である。
【発明の効果】
【０００６】
本発明は上記構成により、記録パワー決定時の各記録ディスク毎やドライブ毎等ハードウェアによる記録・再生性能品位のバラツキをなくし、各記録ディスク・ドライブの組合せに最適な記録パワーを決定することができ、各記録ディスクによる特性（再生性能品位）もよく、全ての記録エリアにおいて線形性のある記録パワーを決定できるので、特に高倍速記録において見られていたような記録パワーのバラツキもなく全ての記録エリアにおいて安定した記録ができ、その記録されたデータの再生性能もよい品位を保つことを実現できる。
【発明を実施するための最良の形態】
【０００７】
請求項１記載の発明は、記録可能なディスクへの本記録に先立って、ディスクへ記録パワーを段階的に変化させてテスト記録するステップと、再生性能品位をあらわすパラメータの値とテスト記録するステップにて記録された領域を再生して得られた再生性能品位の値とを比較するステップと、比較するステップにより基準記録パワーを決定するステップと、基準記録パワーにて記録しその記録された値を、記録パワー補正を行うための目標値に決定するステップと、目標値に近づくように記録パワーを補正するためのステップと、を備えたことを特徴とするものである。これにより、記録パワー決定時の各記録ディスク毎やドライブ毎等ハードウェアによる記録・再生性能品位のバラツキをなくし、各記録ディスク・ドライブの組合せに最適な記録パワーを決定することができ、各記録ディスクによる特性（再生性能品位）もよく、全ての記録エリアにおいて線形性のある記録パワーを決定できるので、特に高倍速記録において見られていたような記録パワーのバラツキもなく全ての記録エリアにおいて安定した記録ができ、その記録されたデータの再生性能もよい品位を保つことができる。
【０００８】
請求項２記載の発明は、目標値がβ値（アシンメトリ）であることを特徴とするものである。これにより、基準記録パワー決定時の記録・再生性能品位を保つための目標値が明確になる。また、そのβ値を目標として各ドライブ毎、ディスク毎に記録パワー補正を行うことにより、各ドライブ毎、ディスク毎のバラツキなく、記録時の最適記録パワーを決定することができる。さらに、各ドライブの記録エリアの一定間隔毎に最適なβ値に対しての記録パワー補正を行うので、同様にして全ての記録できるエリアにおいて記録時の最適記録パワーを決定することができる。
【０００９】
請求項３記載の発明は、再生性能品位をあらわすパラメータが、ＢＥＲ（Ｂｉｔ  Ｅｒｒｏｒ  Ｒａｔｅ）、ＢＬＥＲ（ＢＬｏｃｋ  Ｅｒｒｏｒ  Ｒａｔｅ）、ジッター、変調度、位相誤差、ＭＬＳＥ（Ｍａｘｉｍｕｍ  Ｌｉｋｅｌｉｈｏｏｄ  Ｓｅｑｕｅｎｔｉａｌ  Ｅｒｒｏｒ）、ＰＩＦ（Ｐａｒｉｔｙ  Ｉｎｎｅｒ  Ｆａｉｌｕｒｅ）のうち、いずれか１つであることを特徴とするものである。これにより、記録エリアにテスト記録されたデータに対する再生性能品位の有無を区別できる指標が明確になり、再生性能品位をあらわすパラメータの閾値内での基準記録パワーを決定することができ、基準記録パワーの上下限（許容量幅）を決めることができる。例えば、再生性能品位のパラメータをＢＥＲとした時、テスト記録されたデータを再生した場合のエラーレートが７Ｅ−４以下である場合は、テスト記録で使用した記録パワーは記録するのに適当なパワーであるということができ、エラーレートが７Ｅ−４より大きい場合は再生性能品位が適当でなくしたがって記録するのに不適なパワーであるという判断ができる。
【００１０】
請求項４記載の発明は、比較するステップでは、再生性能をあらわすパラメータの値の任意の閾値を決め、テスト記録するステップにて記録された領域を再生して得られた再生性能品位の値が、閾値以下かどうかを比較することを特徴とするものである。これにより、記録エリアにテスト記録されたデータに対する再生性能品位を判断することができる。再生性能をあらわすパラメータの値が閾値以下の場合には、テスト記録で使用した記録パワーは記録するのに適当なパワーであるということができ、基準記録パワーの上下限（許容量幅）を決めることができる。
【００１１】
請求項５記載の発明は、基準記録パワーを決めるステップでは、基準記録パワーが再生性能品位を満たす所定の範囲内の中間であることを特徴とするものである。これにより、記録エリアにテスト記録されたデータに対する再生性能品位の有無を区別できる指標が明確になり、再生性能品位をあらわすパラメータの閾値内での基準記録パワーを決定することができる。また、基準記録パワー決定時の記録パワーの再生性能品位を満たす許容量が上下最大限保たれるため、ドライブやディスク以外の温度等の外的要因に記録パワー決定が左右され易い場合にでも、再生性能品位を満たす記録パワーの範囲を最大限確保することができる。
【００１２】
請求項６記載の発明は、基準記録パワーを決めるステップでは、基準記録パワーが再生性能品位を満たす所定の範囲内において任意の比率で決定することを特徴とするものである。これにより、記録エリアにテスト記録されたデータに対する再生性能品位の有無を区別できる指標が明確になり、再生性能品位をあらわすパラメータの閾値内での基準記録パワーを決定することができる。また、ドライブやディスクの組合せにより必ずしも再生性能品位を満たす許容量の中間がその組合せの最適の再生性能品位となる記録パワーとは限らないので、そういう場合にはそのドライブ、ディスクの組合せに最適な基準記録パワーを決定することができる。
【００１３】
請求項７記載の発明は、記録パワーを段階的に変化させてテスト記録するステップにおいて、段階的に変化する記録パワーのステップ幅が可変であることを特徴とするものである。これにより、テスト記録時の記録パワーのステップ幅を広くした場合は、再生性能品位を満たす記録パワーの許容量を早く決めることができ、また、テスト記録時の記録パワーのステップ幅を狭くした場合は、記録パワーの許容量をより正確により広めに求めることができる。またそれに併せて、目標値であるβ値もより精度のよい値を求めることもできるようになり、適当な記録パワー補正ができるようになる。
【００１４】
請求項８記載の発明は、請求項１〜７記載の最適記録パワー決定方法を用いた光ディスク装置であることを特徴とするものである。これにより、記録パワー決定時の各記録ディスク毎やドライブ毎等ハードウェアによる記録・再生性能品位のバラツキをなくし、ドライブやディスク以外の温度等外的要因に記録パワー決定が左右され易い場合にでも、十分に再生性能品位を満たす記録パワーを決めることができる。また、各記録ディスク・ドライブの組合せに最適な記録パワーを決定することができ、各記録ディスクによる特性の傾きも大きく、全ての記録エリアにおいて線形性のある記録パワーを決定できるので、特に高倍速記録において見られていたような記録パワーのバラツキもなく全ての記録エリアにおいて安定した記録ができ、記録されたデータの再生性能もよい品位を保つことができる光ディスク装置を提供できる。
【００１５】
以下本発明の実施の形態１を示す最適記録パワー決定方法について、図面を参照しながら具体的に説明する。まずは光ディスク装置の基本構成について説明する。図１は光ディスク装置の簡単な構成を表すブロック図である。１は光ディスク装置、２は光ディスク、３はスピンドルモータ、４はサーボ回路、５は光ピックアップ装置、６は再生信号処理回路、７はシステム処理回路、８はバッファ、９はシステムコントローラである。この光ディスク装置１は、光ディスク２をスピンドルモータ３によって回転させる。このスピンドルモータ３の動作はサーボ回路４によって制御され、再生および記録時には光ディスク２が線速度一定で、もしくは角速度一定で回転するようにされる。また光ディスク２の再生および記録は、レーザビームを使用した光ピックアップ装置５を使用して行われる。光ピックアップ５のフォーカス、トラッキング、シーク等の動作はサーボ回路４によって制御される。光ピックアップ５より出力される再生信号は再生信号処理回路６に供給され、再生信号の増幅やフィルタ処理が行われる。再生信号処理回路６で処理された再生信号は、システム処理回路７に供給されてデジタル復調、誤り訂正などの処理が行われて、光ディスク２に記録されたデジタルデータが得られる。このシステム処理回路７およびサーボ回路４の動作は、中央処理装置を要部としたシステムコントローラ９によって制御される。なお、光ディスク装置１の運転に必要なファームウェアはシステムコントローラ９の記憶部に書き込まれている。
【００１６】
（実施の形態１）
本実施の形態１は、基準記録パワーを決める際に再生性能品位が所定の範囲内の中間（パワー特性が基準記録パワーを中心に左右対称）である場合について図面を参照しながら説明する。光ディスク装置の構成は上記図１の説明で述べたとおりである。図２は、本発明のパワー特性が基準記録パワーを中心に左右対称である場合の最適記録パワー決定方法のフローチャートである。図３は、本発明のパワー特性が基準記録パワーを中心に左右対称である場合の最適記録パワー決定方法を表す図である。図２、図３を対比させながら説明していく。図２において、Ｓ１〜Ｓ６は記録パワー決定方法の各ステップを示す。図３において、横軸は記録パワー、縦軸は再生性能指標とした場合に１０は記録パワーと再生性能指標との関係を示す曲線である。
【００１７】
まず、図２の学習開始後Ｓ１において、ＰＣＡ領域上に適当な高いパワー側から低いパワー側へ決められた一定間隔のパワーステップ毎に１０段階の記録パワーで１セクターずつランダムパターンにて記録していく。それが図３において横軸のＰ１〜Ｐ１０に相当する。次に図２のＳ２において、先ほど記録した１０箇所（Ｐ１〜Ｐ１０）の再生性能品位を測定する。この再生性能を表す指標は、ＢＥＲ、ＢＬＥＲ、ジッター、変調度、位相誤差、ＭＬＳＥ、ＰＩＦのいずれでもよく、またこれら以外でも再生性能品位を表すものであれば問題ない。図３において１０箇所（Ｐ１〜Ｐ１０）それぞれにおいての再生性能の値は図上では○印の位置がそれに相当するものとし、それらを互いにつなげた曲線を記録パワーと再生性能指標との関係を表すものとする。次に図２のＳ３において再生性能指標における閾値を決めその閾値と比較し閾値前後の値をもつ記録パワーを抽出することにする。図３において仮に再生性能品位を示す指標をＢＥＲとした場合その閾値を７Ｅ−４とし各記録パワーにおけるＢＥＲの値が閾値以下であればその記録パワーにおいて再生性能品位はよいということができる。その７Ｅ−４を示す閾値の線と記録パワーと再生性能指標との関係を示す曲線１０との交点前後の記録パワー（図３上では、Ｐ１、Ｐ２、Ｐ９、Ｐ１０がそれぞれ相当する）が抽出される。
【００１８】
さらに次にこれらの記録パワーを用いて、基準記録パワーＰｏを算出するステップについて説明する。図２のＳ４および図３において、基準記録パワーＰｏの下限値、上限値は先ほど上記Ｓ３にて抽出されたＰ１、Ｐ２、Ｐ９、Ｐ１０を用いてそれぞれ算出される。図３において閾値の線と記録パワーと再生性能指標との関係を示す曲線１０との交点において、低パワー側の交点を下限値パワーＰｍｉｎ、高パワー側の交点を上限値パワーＰｍａｘとそれぞれ設定した場合、Ｐｍｉｎ＝（Ｐ１＋Ｐ２）／２、Ｐｍａｘ＝（Ｐ９＋Ｐ１０）／２とそれぞれ算出される。ただ、Ｐｍｉｎ、Ｐｍａｘの値は図３における再生性能指標における閾値の線と記録パワーと再生性能指標との関係を示す曲線１０との交点前後の記録パワーを用いて算出されるものであるので、必ずしも交点に限定されるものではなく場合によっては再生性能指標の閾値よりも値が高い時もある。
【００１９】
またさらに次に上記のＰｍｉｎ、Ｐｍａｘの値を用いて図２のＳ５において基準記録パワーＰｏは算出されることになる。実施の形態１においては、パワー特性が基準記録パワーＰｏを中心に左右対称な場合であるので、Ｐｏ＝（Ｐｍｉｎ＋Ｐｍａｘ）／２により算出される。図３においてＰｏはＰｍｉｎ、Ｐｍａｘの中心に位置する記録パワーである。最後に、図２のＳ６において基準記録パワーＰｏで記録を行いその時のβ値を記録時における目標β値とし、そのβ値になるように記録パワー補正を行いながら最適記録パワーで記録を行っていく。
【００２０】
上記の最適記録パワー決定方法を用いることにより、基準記録パワー決定時の各記録ディスク毎やドライブ毎等ハードウェアによる記録・再生性能品位のバラツキをなくし、各記録ディスク・ドライブの組合せに最適な記録パワーを決定することができ、各記録ディスクによるパワー特性（再生性能品位）もよく、全ての記録エリアにおいて線形性のある記録パワーを決定できるので、特に高倍速記録において見られていたような記録パワーのバラツキもなく全ての記録エリアにおいて安定した記録ができ、その記録されたデータの再生性能もよい品位を保つことができる。また、基準記録パワー決定時の記録パワーの再生性能品位を満たす許容量が上下限において最大限保たれるため、ドライブやディスク以外の温度等の外的要因に記録パワー決定が左右され易い場合にでも、再生性能品位を満たす記録パワーの範囲を最大限確保することができる。
【００２１】
（実施の形態２）
本実施の形態２は、基準記録パワーを決める際に再生性能品位が所定の範囲内において任意の比率である（パワー特性が基準記録パワーを中心に左右対称でない）場合について図面を参照しながら説明する。光ディスク装置の構成は上記図１の説明で述べたとおりである。図４は、本発明のパワー特性が基準記録パワーを中心に左右対称でない場合の最適記録パワー決定方法のフローチャートである。図５は、本発明のパワー特性が基準記録パワーを中心に左右対称でない場合の最適記録パワー決定方法を表す図である。図４、図５を対比させながら説明していく。図４において、Ｓ１〜Ｓ６は記録パワー決定方法の各ステップを示す。図５において、横軸は記録パワー、縦軸は再生性能指標とした場合に１０は記録パワーと再生性能指標との関係を示す曲線である。図４においてＳ４までは実施の形態１と同様のため説明を省略しＳ５より説明する。図４のＳ５において、基準記録パワーＰｏをＰｏ＝（Ｐｍｉｎ＋Ｐｍａｘ）×αにて算出する。αの値は任意とし、０より大きくかつＰｍａｘ／（Ｐｍｉｎ＋Ｐｍａｘ）未満の値になる。図５を例にとると、再生性能指標値が一番よい記録パワーＰ３付近になるようなαにし基準記録パワーＰｏを設定するのもよいし、記録パワーＰ３付近では上限値パワーＰｍａｘと比較して下限値パワーＰｍｉｎ方向に対して許容量が少ないので再生性能品位が許す範囲において、図５に図示されているような（Ｐｍｉｎ＋Ｐｍａｘ）／２の値に近い方向になるようなαにし基準記録パワーＰｏを設定してもよい。実際の記録パワーおよび再生性能指標の関係の再生性能品位が許す範囲において、適当なα値を乗算し基準記録パワーＰｏを決定することができる。最後に、図４のＳ６において基準記録パワーＰｏで記録を行い、その時のβ値を記録時における目標β値とし、そのβ値になるように記録パワー補正を行いながら最適記録パワーで記録を行っていく。
【００２２】
上記の最適記録パワー決定方法を用いることにより、基準記録パワー決定時の各記録ディスク毎やドライブ毎等ハードウェアによる記録・再生性能品位のバラツキをなくし、各記録ディスク・ドライブの組合せに最適な記録パワーを決定することができ、各記録ディスクによるパワー特性（再生性能品位）もよく、全ての記録エリアにおいて線形性のある記録パワーを決定できるので、特に高倍速記録において見られていたような記録パワーのバラツキもなく全ての記録エリアにおいて安定した記録ができ、その記録されたデータの再生性能がよい品位を保つことができる。また、ドライブやディスクの組合せにより必ずしも再生性能品位を満たす許容量の中間がその組合せの最適の再生性能品位となる記録パワーとは限らないので、そういう場合にはそのドライブ、ディスクの組合せに最適な基準記録パワーを決定することができる。
【産業上の利用可能性】
【００２３】
本発明は、記録パワー決定時の各記録ディスク毎やドライブ毎等ハードウェアによる記録・再生性能品位のバラツキをなくすことにより、各記録ディスク・ドライブの組合せに最適な記録パワーを決定することにより安定した記録ができ、その記録されたデータの再生性能もよい品位を保つことを実現できるので、光ディスク装置の分野でＣＤ系、ＤＶＤ系およびＢＤ等の光ディスクに対して記録する場合の光ディスク装置およびその最適記録パワー決定方法に適応可能である。
【図面の簡単な説明】
【００２４】
【図１】光ディスク装置の簡単な構成を表すブロック図
【図２】本発明のパワー特性が基準記録パワーを中心に左右対称である場合の最適記録パワー決定方法のフローチャート
【図３】本発明のパワー特性が基準記録パワーを中心に左右対称である場合の最適記録パワー決定方法を表す図
【図４】本発明のパワー特性が基準記録パワーを中心に左右対称でない場合の最適記録パワー決定方法のフローチャート
【図５】本発明のパワー特性が基準記録パワーを中心に左右対称でない場合の最適記録パワー決定方法を表す図
【図６】（ａ）従来のβ値測定量の補正のフローチャート、（ｂ）従来の最適記録パワー決定方式のフローチャート
【図７】従来の最適記録パワー決定方式を表す図
【符号の説明】
【００２５】
１    光ディスク装置
２    光ディスク
３    スピンドルモータ
４    サーボ回路
５    光ピックアップ装置
６    再生信号処理回路
７    システム処理回路
８    バッファ
９    システムコントローラ
１０    記録パワーと再生性能指標との関係を示す曲線
【図１】
2009266263.tif 000003
【図２】
2009266263.tif 000004
【図３】
2009266263.tif 000005
【図４】
2009266263.tif 000006
【図５】
2009266263.tif 000007
【図６】
2009266263.tif 000008
【図７】
2009266263.tif 000009